(57)【要約】【課題】  建物の屋上に防水用や防根用のシートを敷設する必要がなく施工出来、また、培地に繊維質を使用した場合の繊維質の欠点である踏み圧によるヘタリを防止すること。さらに大雨は勿論、通常の降雨時や灌水時の余分な水を効率良く排水させて、根腐れを防止すること。【解決手段】  多数の開口部７を備えてベース基盤１の下面には多数の下部支柱５と垂設すると共に、上面には上部支柱６を立設する。ベース基盤１の上面に無機繊維質からなる培地２０を上部支柱６の突き刺して配置する。土や従来の人工培土を用いていないので、降雨時や灌水時の場合でも濁り水が排水されず、単なる水が排水されるだけなので、防水用のシートが不要となる。また、下部支柱５により施工面との間に空間部３１が形成され、培地２０からの根が伸びてきても根が空気に接触して根の成長が止まり、そのため、防根用のシートが不要となる。【選択図】        図１０
2005065529.tif 000002
【特許請求の範囲】
【請求項１】
平面部に多数の開口部（７）を有するベース基盤（１）の下面より多数の下部支柱（５）を垂設すると共に、該ベース基盤（１）の上面には上部支柱（６）を複数立設し、無機繊維質からなり植栽成育用の培地（２０）を前記上部支柱（６）に突き刺してベース基盤（１）の上面に該培地（２０）を設けていることを特徴とする植栽用人工地盤。
【請求項２】
前記上部支柱（６）は上下に貫通した筒状であって、該上部支柱（６）の周面に複数の穴（１０）を穿孔していることを特徴とする請求項１記載の植栽用人工地盤。
【請求項３】
前記上部支柱（６）は上部から下部に至るほど太径としていることを特徴とする請求項２記載の植栽用人工地盤。
【請求項４】
前記上部支柱（６）の上端の開口面に平板状の安全蓋（１４）を設けていることを特徴とする請求項３記載の植栽用人工地盤。
【請求項５】
前記ベース基盤（１）の材料に廃ペットボトルの再生樹脂を用いていることを特徴とする請求項１〜請求項４のいずれかに記載の植栽用人工地盤。
【発明の詳細な説明】
【技術分野】
【０００１】
本発明は、一般の家屋やビルなどの建物の屋上や、ベランダ、バルコニー、玄関先などの出入口付近、駐車場などに簡単に地被植物を植栽するのに用いる植栽用人工地盤に関するものである。
【背景技術】
【０００２】
従来よりビルなどの建物の屋上に大きな鉢に木々を植え込んで緑化が進められてきているが、特に最近では、都市部でのヒートアイランド現象の対策として、緑化が一層期待されている。周知のように都市部では木々が少なく、建築物のコンクリートが外気にむき出しとなり、コンクリートに熱が吸収されることで、建物内での冷房能力を上げることになり、その排気熱と相まって都市部では、一層悪循環となっている。
【０００３】
そこで、ビルの屋上を緑化するために種々の提案がされている。例えば、以下に示す特許文献１、２などである。
【特許文献１】特開２００２−４４８２号公報
【特許文献２】特開平４−１４４６１１号公報（特公平７−７号公報）
【０００４】
特許文献１は、植栽用の人工地盤が記載されており、升状のパレットの中に土を入れて、この中に植物を植えるようにしたものであり、特に、パレットの上に人間が歩いた時に靴により土を踏み固め、保水機能の低下や根張りを悪くするという問題を解決するために、パレット内に多数のピンを突設しているものである。
【０００５】
また、特許文献２は、建築物の屋上を緑化する際に、土壌を屋上に敷設すると土壌の重量が重いため、許容積載荷重の点や、雨水などで土が流されて建築物が汚される点などから、土を使用せずに合成繊維を主材とした方法で緑化を図っている。
【０００６】
しかしながら、前記特許文献１では、パレット内に土を入れて植栽を行なっているため、雨が降った場合の土の流出を防止するために、屋上の床面に防水用のシートを敷設する必要がある。また、植栽用の培地として土を用いているために重量が重くなるという問題がある。
さらに、重量を軽くするために、土の容積を少なくすると植物の生育に問題も生じてくる。そのため特許文献１では、地上での植栽は有効であるものの、ビルの屋上では問題が有り過ぎて有効に用いることが出来ない。
【０００７】
また、特許文献２においては、培地として土を用いていないものの、屋上の床面に防水用と防根用を兼ねた合成樹脂シートを敷設しなければならないという問題がある。そのため、前記特許文献１も同じであるがこの特許文献２においても、ビルの屋上に全面にわたって防水用や防根用のシートを敷設しなければならず、その分、施工に時間がかかり、しかもコスト高になるという問題があった。
【０００８】
また、施工後の排水の観点から考慮すると、特許文献１ではパレットの底面に水抜き穴が複数設けてあるものの、雨が大量に降った場合には水はけが悪く根腐れを起こす可能性がある。
特許文献２では、下層に排水層が設けてあるものの、この排水層の下面と合成樹脂製シートが密着しているために、特許文献１と同様に雨が大量に降った場合には水はけが悪く根腐れを起こす可能性がある。
【０００９】
さらに、特許文献１及び特許文献２は共に、植物の根の部分が直接空気と接触する箇所がないために、下方から根に空気、つまり酸素の供給が出来ない構造となっている。
【発明の開示】
【発明が解決しようとする課題】
【００１０】
本発明は上述の問題点に鑑みて提供したものであって、少なくとも以下の目的を備えた植栽用人工地盤を提供するものである。
（１）建物の屋上に防水用や防根用のシートを敷設する必要がなく施工出来ること。
（２）培地に繊維質を使用した場合の繊維質の欠点である踏み圧によるヘタリを防止すること。
（３）大雨は勿論、通常の降雨時や灌水時の余分な水を効率良く排水させて、根腐れを防止すること。
（４）培地の下方には空間を持たせて、培地の下部から根に酸素の供給もできるようにすること。
【課題を解決するための手段】
【００１１】
そこで、本発明の請求項１記載の植栽用人工地盤では、平面部に多数の開口部７を有するベース基盤１の下面より多数の下部支柱５を垂設すると共に、該ベース基盤１の上面には上部支柱６を複数立設し、無機繊維質からなり植栽成育用の培地２０を前記上部支柱６に突き刺してベース基盤１の上面に該培地２０を設けていることを特徴としている。
【００１２】
請求項２に記載の植栽用人工地盤では、前記上部支柱６は上下に貫通した筒状であって、該上部支柱６の周面に複数の穴１０を穿孔していることを特徴としている。
【００１３】
請求項３に記載の植栽用人工地盤では、前記上部支柱６は上部から下部に至るほど太径としていることを特徴としている。
【００１４】
請求項４に記載の植栽用人工地盤では、前記上部支柱６の上端の開口面に平板状の安全蓋１４を設けていることを特徴としている。
【００１５】
請求項５に記載の植栽用人工地盤では、前記ベース基盤１の材料に廃ペットボトルの再生樹脂を用いていることを特徴としている。
【発明の効果】
【００１６】
本発明によれば、土や従来の人工培土を用いていないので、降雨時や灌水時の場合でも濁り水が排水されず、単なる水が排水されるだけであり、そのため、従来のように防水用のシートを敷設することなく施工することができる。また、ベース基盤１の下面には下部支柱５を設けているので、この下部支柱５により施工面との間に空間部３１が形成されることになり、培地２０からの根が伸びてきても空間部３１で根が空気に接触することで、根の成長が止まり、そのため、従来のように防根用のシートを敷設することなく施工することができる。このように従来必要としていた防水用、防根用のシートが不要となるので、既存の建物に対して新たな工事をする必要がなく、施工コスト、材料を大幅に安価にすることができる。
【００１７】
また、ベース基盤１の下部支柱５により形成される空間部３１により、大雨は勿論、通常の降雨時や灌水時の余分な水を流れ落とすことができる。また、培地２０には余分な水は溜まらないので、根腐れを防止できる。特に、培地２０に水が滞留しないので、滞留水によるレジオネラ菌が発生しない。さらには、空間部３１を介して培地２０の根に酸素（空気）の供給を行なうことができる。
【００１８】
また、ベース基盤１の上面には複数の上部支柱６を立設しているので、培地２０に無機繊維を使用していても、上部支柱６が踏み圧に耐えることができ、そのため、繊維質の欠点であるヘタリを防止し、且つ繊維質の利点であるクッション性を活かすことができるものである。
【００１９】
さらに、上部支柱６の周面に複数の穴１０を穿孔しているので、この穴１０を介して培地２０に酸素（空気）を与えることができる。また、上部支柱６は上部から下部に至るほど太径としているので、より踏み圧に耐えることができ、また、繊維質の培地２０を突き刺し易くすることができる。
さらには、上部支柱６の上端の開口面に平板状の安全蓋１４を設けていることで、万一、素足で培地２０に乗った場合でも怪我をしないように安全対策を施しているものである。
【００２０】
また、ベース基盤１の材料に廃ペットボトルの再生樹脂を使用しているので、ベース基盤１を安価で製造でき、しかも、リサイクルとなるので、環境にも良い。
【発明を実施するための最良の形態】
【００２１】
以下、本発明の実施の形態を図面を参照して詳細に説明する。図１（ａ）は本発明の植栽用人工地盤を構成するベース基盤１の平面図を示し、図１（ｂ）はベース基盤１の正面図を示している。また、図２はベース基盤１の底面図を、図３はベース基盤１の斜視図をそれぞれ示している。なお、図３のベース基盤１は説明の便宜上詳細な部分は図示省略している。
【００２２】
このベース基盤１の平面部分は、四角枠状の枠体２の内側に複数の縦桟３が所定の間隔毎に配置されており、また、縦桟３に所定の間隔毎に配置されている横桟４が直交して全体として格子状に形成されている。そして、縦桟３と横桟４の１条おきに交差している直交部分の下面からは略円筒状の下部支柱５が一体に垂設されている。この下部支柱５は上下に貫通しており、また、上下方向の寸法は同一としている。
【００２３】
ベース基盤１の上面の縦桟３と横桟４とが直交している任意の位置に、略円筒状の上部支柱６（図１（ａ）の線巾を太くした○印の部分）が一体的に突設されている。この上部支柱６を突設する位置は任意であり、図示例では、下部支柱５の位置とは１つおきに形成しているが、左右方向、あるいは上下方向に少しずれた位置に形成しても良いものである。
ここで、図１（ａ）及び図２で、上部支柱６、下部支柱５、縦桟３及び横桟４からなる枠体２を示している実線部分以外の部分は所謂穴あき部分の上下に貫通した開口部７としている。
【００２４】
なお、上部支柱６の機能は、ベース基盤１の上面に配設される培地の人による踏み圧に対するものであり、人が靴で培地を踏んだ場合に２〜３つの上部支柱６が位置するように形成するようにしている。この上部支柱６の数は任意である。また、前記下部支柱５の数は、培地を人が踏んでもベース基盤１自体が変形しないような数としている。
【００２５】
また、上部支柱６の周面には複数の穴１０が穿孔されており、この穴１０により培地からの排水の機能を持たせたり、同時に穴１０を介して培地に浸透している植栽の根に空気（酸素）を与えることができるようにしている。
【００２６】
ベース基盤１は上下左右に連結可能な構造としており、ベース基盤１の一方には先端を略Ｌ型にしたフック１１が枠体２の下面より一体に垂下され、また、ベース基盤１の他方には、このフック１１と係止される係止部１２が枠体２の下面より一体に垂設されている。なお、フック１１及び係止部１２は左右にだけ図示しているが、実際には上下にも設けてあり、左右上下にベース基盤１を連結することができるようになっている。
複数のベース基盤１をビルなどの建築物の屋上に敷設する場合、隣接するベース基盤１の係止部１２の係止孔１３にフック１１を挿入係止することで、互いに隣接するベース基盤１が連結固定されることになる。
【００２７】
ここで、ベース基盤１の材料は、プラスティック、金属、木などで構成することができるが、現在、市場で回収され、その利用が促進されている廃ペットボトルの再生樹脂を使用するのがリサイクル化の点から好適例である。
【００２８】
上部支柱６の構造は図４に示すように単体とした上部支柱６をベース基盤１の上面に接着剤等で固着して、上部支柱６と下部支柱５との内部を連通して配置固定した場合の例を示している。
また、図５は上部支柱６の下部を先端に至るほど細くして、その細くした先端を下部支柱５の上部の開口部に圧入、あるいは圧入接着して上部支柱６を固定するようにしても良い。さらに、図６に示すように、上部支柱６をベース基盤１と一体に成形して形成するようにしても良い。
【００２９】
図７は上部支柱６をベース基盤１に一体成形した場合であって、上部支柱６の上部から下部に至るほど太径にしている。上部支柱６をかかる構成とすることで、人による踏み圧に対する耐荷重性能を向上させることができると同時に、繊維質の培地を突き刺し易くすることができる。
【００３０】
無機繊維質の培地は後述するように２層構造で構成されており、その下層の培地をベース基盤１の上面に配置した際に、下層の培地の上面と上部支柱６の上面とは略面一となり、万一、素足で下層の培地に乗った時のことを想定して、図８及び図９に示すように、ゴルフのマーカ状の安全蓋１４を装着するようにしている。すなわち、略円板状の安全蓋１４の下面の中央部分には突起１５を一体に突設しておき、この突起１５を上部支柱６の上部の開口部に挿入ないし圧入して、上部支柱６の上面に突起１５を装着するものである。
【００３１】
なお、図８は、上下にわたって直径を同一とした図４〜図６に示すような上部支柱６の場合の安全蓋１４の例を示し、図９は先端を細径とした図７に示すような上部支柱６の安全蓋１４の例を示している。
【００３２】
次に、ベース基盤１の上面に配置する培地の構造ないし構成について説明する。図１０は、ベース基盤１の上面にマット状の培地２０を配置した状態の正面図を示し、このベース基盤１と培地２０とで植栽用人工地盤を構成している。図１１はこの植栽用人工地盤の斜視図を示している。
【００３３】
本発明の培地２０は、土や、従来のパーライト、バーミキュライト、セラミック粒、有機繊維、樹脂類等やこれらと土を混合した類の人工培土を一切使用せずに、ロックウール、スラグウール、岩綿、グラスウール、セラミックウール等の無機繊維のみを材料としているものである。
この培地２０の材料として、上述したように無機繊維を使用しているので（土を使用していないので）、降雨時や灌水時における濁り水（土汁）が流れ出ることはなく、また、そのためのビルなどの建築物の屋上の排水口のメンテナンスが不要である。
【００３４】
マット状の培地２０は、図示するように上層培地マット２１と、下層培地マット２２との複数層で構成されており、上層培地マット２１に地被植物である天然芝生の種を蒔いて発芽させ、上層培地マット２１の上面で天然芝生２３を育苗している。
また、下層培地マット２２は、上層培地マット２１で伸びてきた天然芝生２３の根を浸透させて、該天然芝生２３の根を成育させるようにしている。
【００３５】
培地２０を無機繊維で構成しているので、繊維質の特徴である透水性、保水性、保肥性を、その嵩密度で調整できる利点がある。本発明では、培地２０の嵩密度を６０ｋｇ／ｍ3 〜２００ｋｇ／ｍ3 の範囲の中で任意の嵩密度のものを用いている。
なお、本発明では、特に、８０ｋｇ／ｍ3 〜１２０ｋｇ／ｍ3 が好適例である。
【００３６】
また、培地２０の上層培地マット２１の厚みは、実施例では２６ｍｍ、下層培地マット２２の厚みは３４ｍｍとし、ベース基盤１の上部支柱６を除いた厚みを２０ｍｍとし、植栽用人工地盤の全体の高さを約８０ｍｍとしている。
また、上層培地マット２１及び下層培地マット２２は無機繊維つまり繊維質なので、繊維の筋方向を横方向にした場合に上から踏んだ場合にはクッション性に富んでいる。しかし、人が植栽用人工地盤の天然芝生２３を踏んだ場合に、クッション性が有り過ぎると天然芝生２３を用いているにも関わらず違和感を与えてしまうことになる。
【００３７】
さらに、上層培地マット２１及び下層培地マット２２の繊維の筋方向を共に横方向にした場合には、踏み圧に耐え切れず、植栽用人工地盤の上にかなりの頻度で踏み続けられると、やがてヘタリが生じて元のようなクッション性が無くなる恐れもある。
【００３８】
そこで、本発明では試行錯誤の結果、もともと備えているクッション性を損なわず、且つ踏み圧に対してヘタリが生じないように、マット状の培地２０を上述したように上層培地マット２１と下層培地マット２２との２層に分離し、且つ、上層培地マット２１の繊維の筋の向きは横方向とし（図１０の横方向の波形参照）、下層培地マット２２の繊維の筋の向きは縦方向（図１０の縦方向の波形参照）としたものである。
【００３９】
下層培地マット２２では、その繊維の方向を縦方向としているので、踏み圧に対して耐久性があり、そのため踏み圧に対してのヘタリを防止することができる。また、同時に上層培地マット２１はその繊維の方向を横方向としているので、人が踏んだ場合のクッション性を維持でき、地面の天然芝生を踏んだ場合と同様な感触を与えることができ、天然芝生２３を踏んだ場合に人に違和感を与えることもない。
このように、下層培地マット２２の繊維の方向を縦方向とし、この下層培地マット２２の上に配置される上層培地マット２１の繊維の方向を横方向とすることで、繊維質マットの踏み圧に弱いのを補い、繊維質マットの利点であるクッション性を活かすことができる一石二鳥の特徴を備えている。
【００４０】
さらに、図１０に示すように、上部支柱６の上部を細く、下部を太くしていることで、一層踏み圧に耐えることができ、また、下層培地マット２２の繊維質マットを上部支柱６に突き刺し易くしている。また、安全蓋１４も円板状となっているので、荷重を受ける面積が広くなってこの部分でも耐踏み圧性を向上させることができる。
【００４１】
次に、植栽用人工地盤の施工について説明する。ビルなどの建築物の屋上の床面には、従来のように防水用のシートや防根用のシートを敷設することなく、屋上の床面３０に直にベース基盤１を連結しながら敷設していく。そのベース基盤１の上に下層培地マット２２を上部支柱６に突き刺しながら施工しても良いが、ベース基盤１の上面に予め下層培地マット２２を配置して施工したり、あるいは下層培地マット２２と上層培地マット２１とを配置した植栽用人工地盤を連結しながら敷設するようにしても良い。
【００４２】
図１０及び図１１に示す施工後の状態において、降雨時や灌水時においては、あるいは肥料を与えた場合などにおいて、上層培地マット２１から下層培地マット２２へと水は浸透していく。無機繊維の上層培地マット２１及び下層培地マット２２は、繊維質のために、従来の土や種々の人工土壌と比べて保水性や保肥性が良く、上層培地マット２１及び下層培地マット２２に十分に水を与えることができる。
【００４３】
また、余分な水は、下層培地マット２２を通り越してベース基盤１の開口部７から床面３０に流れ落ちていき、この流れ落ちた水は屋上の排水溝ないし排水口から排水される。特に、下層培地マット２２はその繊維の筋方向を縦方向としているので、水はけが一層良く、余分な水をスムーズに排水させることができる。また、水はけが良いので、水が滞留することがなく、滞留水によるレジオネラ菌が発生することもない。また、培地２０に従来とは異なり土を用いていないので、土の類は一切流れず、余分な水のみが排水されるだけであり、濁り水（土汁）の心配や排水口のメンテナンスが不要となる。特に、大雨の場合にでも、余分な水として、濁り水を伴うことなく効率良く排水することができる。
また、このように余分な水を培地２０に溜めることなく排水を良くしているので、従来、水はけが悪くて根腐れを起こし易いこの種の繊維質を培地２０として本発明では使用することが可能となったものである。
【００４４】
また、ベース基盤１の下部支柱５により床面３０との間に形成される空間部３１からも天然芝生２３の根に酸素（空気）を与えることができ、また、この空間部３１により従来のほとんどの人工地盤に必要であった防根層（防根シート）や防水層（防水シート）が全く不要になり、既設の建物に対しても新たな工事をする必要がなく、その分、作業費用や材料費用が無くなり、安価に緑化することができるという大きなメリットを有している。
【００４５】
なお、植栽用人工地盤（ベース基盤１及び培地２０）の大きさは任意に製作可能であり、本発明では、例えばベース基盤１を約３０ｃｍ角で成形し、ベース基盤１の周囲には上述したフック１１、係止部１２を形成しておくことで、隣接するベース基盤１を連結でき、植栽用人工地盤を床面３０の全体、あるいは任意の面積に合わせて仕上げることができる。
また、ベース基盤１を上述の約３０ｃｍ角で成形した場合、上部支柱６は縦方向に４本、横方向に４本の計１６本としている。勿論、上部支柱６はこれに限られるものではなく、任意に設定できるものである。
【００４６】
このようにして植栽用人工地盤を施工した後に、植栽（天然芝生２３やセダム）成育して根詰まりを起こした時など、この植栽用人工地盤の１ピース毎に培地２０を取り出し、上層培地マット２１と下層培地マット２２の間にカッターナイフやハサミを差し込んで根切りやエアーレーションを行なうことができる。
その後、根詰まりをしている下層培地マット２２を取り去り、新しい下層培地マット２２をベース基盤１の上部支柱６に突き刺して元の位置に戻し、上層培地マット２１を下層培地マット２２の上に被せることで、また、上層培地マット２１の植栽の根が下層培地マット２２に新しく根が生えてくるので、簡単に新旧交代を行なうことができる。
【００４７】
すなわち、培地２０に根がはびこった時に、上層培地マット２１と下層培地マット２２の層間にカッターナイフやハサミで切り離し、下層培地マット２２を新しく入れ替えることにより、土や従来の人工培土使用時と比べて簡単に根切りやエアーレーションをすることができるものである。
【００４８】
また、上層培地マット２１と下層培地マット２２からなるマット状の培地２０の厚みを６０ｍｍとしており、培地２０の材料に無機繊維を用いていることにより、従来の土や人工培土を使用する場合と比較して、水分を含んだ状態での培土（培地２０）の重量が概ね１／３〜１／５の重量で済み、そのため、既存の建物の屋上にも充分に施工が可能である。なお、培地２０の厚みを６０ｍｍとした場合で、降雨時に最大でも重量は５５ｋｇ／ｍ2 である。
【００４９】
更に、培地２０に無機繊維を使用しているので、水分を含んでいない状態での施工時における培地２０の重量が５ｋｇ／ｍ2 であり、施工時の重量が土や従来の人工培土を使用する時の１／６〜１／２０と軽くなり、そのため、重機や特殊な道具が不必要で、しかも、工期が非常に早くなり、施工コストを大幅に安価にすることができる。
【００５０】
また、植栽用人工地盤の培地２０に無機繊維を使用しているので、天然芝生２３の根が発達し易い空隙を作ることができ、芝生の成育に適している。
また、培地２０が無機繊維であるので、土などに混ざっている雑草の種が含まれておらず、そのため、特に培地２０の初期管理の手間を省くことができる。さらに、培地２０の材料に無機繊維を使用しているので、火災の時、他の有機材（例えば、ヤシの実繊維、発泡スチロール、繊維屑等）を使用した人工培土のように燃えることがない。そのため、炎の勢いを増すこともない。
【００５１】
さらに、植栽用人工地盤を施工する場合、ベース基盤１の上に下層培地マット２２だけを設けて、これを先に施工することで、天然芝生２３あるいは種を植えている上層培地マット２１のみ湿潤させておくだけで良いので、搬入時の運賃や手間を大幅に削減することができる。
また、培地２０を上層培地マット２１と下層培地マット２２とに層分けしているので、現場で下層培地マット２２のみを先に施工することができ、肥料もこの時に下層培地マット２２に蒔いておくことができる。
【００５２】
特に、ベース基盤１、上層培地マット２１及び下層培地マット２２からなる植栽用人工地盤は、建物の屋上や舗装された駐車場等の施工面の防水や防根対策が不要であり、そのまま施工が可能である。すなわち、施工面（床面３０）とベース基盤１の下面との間に空間部３１が形成されているので、排水性を良くし、また、この空間部３１を介して根に酸素を培地２０の繊維質の空隙を利用して供給される。さらに、下層培地マット２２の下面まで伸びてきた根は、ベース基盤１の開口部７の空気に触れて成長が止まるものであり、空間部３１へは根は伸びないものである。そのため、床面３０等の施工面には防根対策が不要となるものである。
【００５３】
図１２及び図１３はベース基盤１の他の例を示し、材料をステンレス板、あるいはアルミ板として多数の穴４０を穿孔したパンチングメタル３９を用い、このパンチングメタル３９の周縁を下方に折曲した側片４１をそれぞれ形成している。また、パンチングメタル３９の穴４０の下面側にナット４３を固着し、パンチングメタル３９の上から穴４０を介してボルト４２を螺着して該ボルト４２をパンチングメタル３９に固定するようにしている。
【００５４】
なお、このボルト４２が上述した上部支柱６に対応するものであり、また、ナット４３及びパンチングメタル３９の周囲の側片４１が下部支柱５に対応するものである。また、側片４１の縦方向の寸法とナット４３の厚みを同じとし、例えば上述の２０ｍｍとしている。
【００５５】
また、頭部を有するボルトをパンチングメタル３９の下面から穴４０に挿入し、そのボルトにナットを螺着して該ボルトをパンチングメタル３９に固定するようにしても良い。
【００５６】
このパンチングメタル３９でベース基盤１を構成する場合には、ベース基盤１を金型でもって製造する必要がなく、金型代が不要となり、市販の材料で製造できるので、コストを安価にすることができる。
また、ベース基盤１の材料をステンレス板、あるいはアルミ板を用いているので、長年使用しても錆びたり、腐食することもなく、長年にわたって使用することができる。
【００５７】
なお、先の実施形態では、主にビルの屋上に植栽用人工地盤を施工する場合について説明したが、本発明の植栽用人工地盤はビルの屋上に限らず、ベランダ、バルコニー、玄関先などの出入口付近、駐車場などにも適用することができる。また、施工面はコンクリートに限らず、一般の地面にも容易且つ簡単に施工することができるものである。
【図面の簡単な説明】
【００５８】
【図１】（ａ）は本発明の実施の形態におけるベース基盤の平面図である。（ｂ）は本発明の実施の形態におけるベース基盤の正面図である。
【図２】本発明の実施の形態におけるベース基盤の底面図である。
【図３】本発明の実施の形態におけるベース基盤の斜視図である。
【図４】本発明の実施の形態における上部支柱の固着方法を示す図である。
【図５】本発明の実施の形態における他の例の上部支柱の固着方法を示す図である。
【図６】本発明の実施の形態における上部支柱を一体に成形した場合の図である。
【図７】本発明の実施の形態における上部支柱を下部ほど太径とした場合の図である。
【図８】本発明の実施の形態における上部支柱に安全蓋を設けた場合の図である。
【図９】本発明の実施の形態における上部支柱に安全蓋を設けた場合の図である。
【図１０】本発明の実施の形態における植栽用人工地盤の正面図である。
【図１１】本発明の実施の形態における植栽用人工地盤の斜視図である。
【図１２】本発明の実施の形態におけるベース基盤の他の例を示す図である。
【図１３】本発明の実施の形態におけるベース基盤の他の例を示す図である。
【符号の説明】
【００５９】
１  ベース基盤
５  下部支柱
６  上部支柱
７  開口部
１０  穴
１４  安全蓋
２０  培地
３１  空間部
【図１】
2005065529.tif 000003
【図２】
2005065529.tif 000004
【図３】
2005065529.tif 000005
【図４】
2005065529.tif 000006
【図５】
2005065529.tif 000007
【図６】
2005065529.tif 000008
【図７】
2005065529.tif 000009
【図８】
2005065529.tif 000010
【図９】
2005065529.tif 000011
【図１０】
2005065529.tif 000012
【図１１】
2005065529.tif 000013
【図１２】
2005065529.tif 000014
【図１３】
2005065529.tif 000015